(57)【要約】      （修正有）【課題】十分な肌の保湿・バリア効果を発揮することができる美容液を生成するための美容セットを提供する。【解決手段】人の肌に塗布される美容液を生成するための美容セットであって、繊維化された綿状のコラーゲン体１と、人の肌を保湿するための化粧水２と、化粧水２が収容される容器３とを備え、ユーザによりコラーゲン体１が化粧水２に溶解されることにより美容液が生成される。また、この美容セットは、コラーゲン体１と、化粧水２が収容された容器３とが収容される包装容器４を備える。【選択図】図１
2019208945.tif 000002
【特許請求の範囲】
【請求項１】
人の肌に塗布される美容液を生成するための美容セットであって、
繊維化された綿状のコラーゲン体と、人の肌を保湿するための化粧水と、化粧水が収容される容器とを備え、
ユーザにより前記コラーゲン体が化粧水に溶解されることにより美容液が生成されることを特徴とする美容セット。
【請求項２】
前記コラーゲン体と、化粧水が収容された容器とが収容される包装容器を備える請求項１に記載の美容セット。
【請求項３】
前記コラーゲン体は、三重らせん構造を有する生コラーゲンからなる請求項１または請求項２に記載の美容セット。
【請求項４】
前記化粧水は、植物由来の有効成分を含む請求項１から請求項３のいずれかに記載の美容セット。
【請求項５】
前記化粧水は、アロエエキス、カワラヨモギエキス、オウゴンエキス、クロレラエキス、ダイズエキス、グリチルリチン酸のうちの少なくとも一つを含む請求項４に記載の美容セット。
【発明の詳細な説明】
【技術分野】
【０００１】
本発明は、人の肌に塗布される美容液を生成するための美容セットに関するものである。
【背景技術】
【０００２】
従来より、組成物にコラーゲンを含む化粧品であって、肌に塗布されるとコラーゲンが肌の表面で被膜を形成することにより、肌からの水分の蒸発の防ぐとともに外部からの刺激を遮断し、肌の保湿・バリア効果を発揮する化粧品が知られている。
【０００３】
例えば、特許文献１には、可溶性コラーゲンと窒素含有率１．５〜２．５重量％のカチオン化多糖類を含有することを特徴とする化粧料が開示されている。これによれば、化粧料が優れた皮膚感触向上効果を肩し、クリーム、乳液、化粧水、美容液等の皮膚化粧料はもちろん頭髪化粧料としても利用でき、冬季の肌あれやひげそシ後の肌、手あれ、染毛や、パ−マで損傷した毛髪の手入れなどに適している。
【０００４】
また、特許文献２には、コラーゲンの化学構造を損なうことなく、比旋光度［α］20Dが−１８０から−１３０°の範囲であり、分子量１０万以下の低分子が確認されないコラーゲンを含有することを特徴とする化粧料組成物が開示されている。これによれば、塗布した時の皮膚に対する感触および毛髪への残留性も良く、相溶性に優れ、かつ、コラーゲン本来が有している保湿性や膜形成能を失わないコラーゲンを含有する化粧料を得ることができる。
【０００５】
さらに、特許文献３には、ヒトコラーゲンまたは該ヒトコラーゲンの低分子化生成物ゼラチンおよびこれらの混合物を化粧料材料に配合してなることを特徴とするとするヒトコラーゲン含有化粧料が開示されている。これによれば、配合成分であるヒトコラーゲンの効能が生かされ、ヒトの皮膚を構成する繊維芽細胞の増殖を、他の異種（魚類等）のコラーゲンには有しない親和性および構造の類似性により推進し、前記繊維芽細胞を効果的に保護し、皮膚の保湿性を高く維持することができる。また、ヒトコラーゲンの低分子化生成物ゼラチンは、皮膚の一部構造に浸透しやすいことから前記の如き保湿性が高く、皮膚の弾力性が増加し、皮膚の滑らかさが増強される。
【先行技術文献】
【特許文献】
【０００６】
【特許文献１】特開昭６３−５０１０号公報
【特許文献２】特開２０００−１２８７５９号公報
【特許文献３】特開２０１２−１４９０６２号公報
【発明の概要】
【発明が解決しようとする課題】
【０００７】
しかしながら、従来の化粧品に見られる美容液は、時間の経過とともに受ける熱によりコラーゲン本来の３重らせん構造が破壊されて低分子化するため、美容液が肌に塗布されたときにコラーゲンが十分な被膜を形成できず、十分な肌の保湿・バリア効果を発揮しないことがあった。
【０００８】
また、従来の美容液は、時間の経過とともに増殖する細菌により腐敗しやすいことから、美容液に防腐剤やｐＨ調整剤等の添加物を加える必要があり、美容液が肌に塗布されたときに添加物がコラーゲンの効能を阻害したり、肌に不要な刺激を与える虞があった。
【０００９】
さらに、従来の美容液は、濃度が最高でも０．３重量％のコラーゲン溶液を配合することにより製造しているため、コラーゲンの含有量が非常に少ないという問題もあった。具体的には、濃度が０．３重量％のコラーゲン溶液の配合率が１％であれば、コラーゲンが０．００３重量％しか含まれていなかった。このため、美容液が肌に塗布されたときにコラーゲンが十分に行き渡らず、やはり十分な肌の保湿・バリア効果を発揮しないことがあった。
【００１０】
本発明は、上述の問題に鑑みてなされたものであり、十分な肌の保湿・バリア効果を発揮することができる美容液を生成するための美容セットを提供することを目的とする。
【課題を解決するための手段】
【００１１】
本発明は、上記目的を達成するために、人の肌に塗布される美容液を生成するための美容セットであって、繊維化された綿状のコラーゲン体と、人の肌を保湿するための化粧水と、化粧水が収容される容器とを備え、ユーザにより前記コラーゲン体が化粧水に溶解されることにより美容液が生成されることを特徴とする。
【００１２】
これによれば、ユーザはできたての美容液を肌に塗布し得るため、十分な肌の保湿・バリア効果を発揮することができる。また、美容液に防腐剤やｐＨ調整剤等の添加物を加える必要がないため、より肌に優しいケアを行うことができる。さらに、コラーゲン体を化粧水にそのまま溶解するため、高濃度のコラーゲンを含む美容液を生成することができる。
【００１３】
また、前記コラーゲン体と、化粧水が収容された容器とが収容される包装容器を備えてもよい。これによれば、コラーゲン体と化粧水が収容された容器を一括して販売することができる。
【００１４】
また、前記コラーゲン体は、三重らせん構造を有する生コラーゲンからなってもよい。これによれば、高分子の生コラーゲンが３重らせん構造を維持した状態で溶解した美容液を生成することができるため、美容液が肌に塗布されたときにコラーゲンが十分な被膜を形成し、より確実に肌の保湿・バリア効果を発揮することができる。
【００１５】
また、前記化粧水は、植物由来の有効成分を含んでもよい。特に、前記化粧水は、アロエエキス、カワラヨモギエキス、オウゴンエキス、クロレラエキス、ダイズエキス、グリチルリチン酸のうちの少なくとも一つを含むとよい。これによれば、美容液が肌に塗布されたときに、肌の保湿・バリア効果に加えて、植物由来の有効成分による美容効果も発揮することができる。
【発明の効果】
【００１６】
本発明によれば、ユーザはできたての美容液を肌に塗布し得るため、十分な肌の保湿・バリア効果を発揮することができる。また、美容液に防腐剤やｐＨ調整剤等の添加物を加える必要がないため、より肌に優しいケアを行うことができる。さらに、コラーゲン体を化粧水にそのまま溶解するため、高濃度のコラーゲンを含む美容液を生成することができる。
【００１７】
而して、ユーザは、今まで体験したことのない贅沢な潤いに満ちたハリのある肌を得ることができる。また、濃密なコラーゲンが、ユーザの肌を見違えるように変えていくことができる。また、日頃蓄積した肌の疲れを取り戻すために、休日に自身で美容液を生成しながら、ゆっくりとした肌ケアを行うことができる。さらにフェイシャルエステ、パーシャルエステ、全身エステなど、新しいエステ用美容液としても使用することができる。
【図面の簡単な説明】
【００１８】
【図１】本発明に係る美容セットの斜視図である。
【図２】美容セットの容器の正面図である。
【図３】美容セットの使用方法を説明する図である。
【発明を実施するための形態】
【００１９】
次に、本発明に係る美容セットについて図１〜図３を参照しつつ説明する。
【００２０】
本美容セットは、人の肌に塗布される美容液を生成するため美容セットであって、図１に示すように、繊維化されたコラーゲン体１と、人の肌を保湿するための化粧水２と、化粧水２が収容される容器３と、コラーゲン体１および容器３が収容される包装容器４とを備える。なお、本明細書において、「ユーザ」とは、本美容セットを直接購入して使用する一般消費者に限られず、エステサロン等の美容施設におけるエステシャン等の施術者を含むものとする。
【００２１】
前記コラーゲン体１は、小球状、具体的には直径が１０ｍｍ〜４０ｍｍの球状に形成されており、ユーザは球状のコラーゲン体１を指で容易につまんだり、ほぐしたりすることができる。
【００２２】
また、前記コラーゲン体１は、コラーゲンからなる繊維が互いに隙間を空ける態様で絡まった綿状に形成されている。このコラーゲン体１は、コラーゲン体１の繊維の隙間に大気を含んでおり、コラーゲン体１に液体がかけられると、液体が繊維の隙間に容易に入り込む。
【００２３】
また、前記コラーゲン体１は、三重らせん構造を有する高分子で魚由来の１００％生コラーゲンからなる。このコラーゲン体１は、魚由来のコラーゲンであるため、肌から体内に速やかに吸収される。なお、コラーゲン体１は、ブタ由来のコラーゲンからなってもよい。この場合、コラーゲン体１の製造コストを抑えることができる。
【００２４】
前記化粧水２は、コラーゲン体１を液状またはゲル状に溶解させることができる化粧水であって、後述するように、コラーゲン体１を溶解した後美容液として肌の表面に塗布される。この化粧水２は、コラーゲン体１を溶解する前においては、容器３の口部３１から速やかに流出する流動性を備え、コラーゲン体１を溶解した後においては、肌の表面で速やか拡がる展開性を有する。なお、この化粧水２は、コラーゲン体１を溶解した後においては、適度な粘着性を有するものであってもよい。この場合、粘着性により高い保湿・バリア効果を発揮することができる。
【００２５】
前記化粧水２は、植物由来の有効成分を含んでいる。具体的には、アロエエキス、カワラヨモギエキス、オウゴンエキス、クロレラエキス、ダイズエキス、グリチルリチン酸のうちの少なくとも一つを含んでいる。このため、肌に塗布されたときに、植物由来の有効成分による美容効果を発揮することができる。
【００２６】
前記容器３は、図２に示すように、一般的な化粧水２が収容される容器と同様の容器であって、上側に口部３１が設けられ、内部に化粧水２を収容する容器本体３２と、容器本体３２の口部３１を覆う蓋３３からなる。ユーザは、蓋３３を容器本体３２から外して上側の口部３１を露出させ、容器本体３２を上下反転することにより、重力の作用によって口部３１から化粧水２を流出させることができる。
【００２７】
なお、前記容器本体３２は、本実施形態ではガラスで形成されているが、柔軟な合成樹脂で形成されてもよい。この場合、ユーザが容器本体３２の側面を押圧して容器本体３２を変形させることにより、容器本体３２の口部３１から化粧水２を速やかに流出させることができる。さらに、前記容器本体３２は、遮光性のある材料で形成されるのが好ましい。この場合、透過光により内部に収容された化粧水２が変質することを防止することができる。
【００２８】
前記蓋３３は、本実施形態では合成樹脂で形成されているが、口部３１を確実に閉蓋するものであればその他の材料で形成されてもよい。この蓋３３も、容器本体３２の内部に収容された化粧水２が変質しないよう、遮光性のある材料で形成されるのが好ましい。
【００２９】
前記包装容器４は、上面に前記コラーゲン体１を収容するコラーゲン体用凹部４１と、化粧水２を収容する容器３を収容する容器用凹部４２を備え、コラーゲン体１と容器３とを同時に収容している。これによれば、コラーゲン体１と化粧水２が収容された容器３を一括して販売することができる。
【００３０】
前記コラーゲン体用凹部４１は、包装容器４の縦方向および横方向に並ぶ態様で複数設けられており、前記容器用凹部４２は、包装容器４の横側面に沿う態様で縦方向に延びて設けられている。これらの凹部４１、４２は、表面が布などの繊維で形成されてもよいし、合成樹脂で形成されてもよい。
【００３１】
前記包装容器４は、上面に図略の蓋が被せられることにより、コラーゲン体１と容器３とを密閉状態で包装する。この包装容器４は、紙製のものであってもよいし、合成樹脂製のものであってもよい。
【００３２】
而して、ユーザが、包装容器４からコラーゲン体１と容器３を取り出した後、コラーゲン体１を両手の指先で軽くほぐし、ほぐしたコラーゲン体１を掌に載置し、容器３の化粧水２を口部３１から流出させて掌上のコラーゲン体１にかけ、掌上でコラーゲン体１と化粧水２を馴染ませると、コラーゲン体１の繊維の隙間に化粧水２が行き渡ってコラーゲン体１を化粧水２に速やかに溶解させることができる。このように、ユーザによりコラーゲン体１が化粧水２に溶解されることにより、化粧水２中にコラーゲンが溶解した美容液が生成される。
【００３３】
これによれば、高分子の生コラーゲンが三重らせん構造を維持した状態で溶解した美容液を生成することができるため、美容液が肌に塗布されたときにコラーゲンが十分な被膜を形成し、より確実に肌の保湿・バリア効果を発揮することができる。また、高濃度の生コラーゲンが溶解した美容液を生成することができるため、美容液が肌に塗布されたときにコラーゲンが十分に行き渡り、より確実に肌の保湿・バリア効果を発揮することができる。
【００３４】
次に、本美容セットの使用方法について図３を参照しつつ説明する。
【００３５】
まず、図３（ａ）に示すように、ユーザは、包装容器４のコラーゲン体用凹部４１からコラーゲン体１を取り出した後、両手の指先で軽くほぐす。
【００３６】
次に、図３（ｂ）に示すように、ユーザは、ほぐしたコラーゲン体１を左手の掌に載置し、右手を用いて容器３に収容されている化粧水２を左手の掌上のコラーゲン体１にかける。このとき、ユーザは、左手の掌から化粧水２がこぼれないよう、左手の掌を下方に窪ませるとよい。
【００３７】
次に、図３（ｃ）に示すように、ユーザは、化粧水２がかけられた左手の掌上のコラーゲン体１を右手の人指し指で軽くたたいてコラーゲン体１と化粧水２を馴染ませることにより、コラーゲン体１の繊維の隙間に化粧水２を入り込ませる。
【００３８】
次に、図３（ｄ）に示すように、ユーザは、左手の掌上のおいてコラーゲン体１を右手の人指し指で押えながら円を描くように回すことにより、化粧水２に溶解させる。このとき、コラーゲン体１の繊維の隙間に化粧水２が入り込んでいるため、コラーゲン体１を化粧水２に速やかに溶解させることができる。
【００３９】
次に、図３（ｅ）に示すように、ユーザは、左手の掌上のおいてコラーゲン体１を化粧水２に完全に溶解させることにより、顔面の肌に塗布される美容液を生成する。
【００４０】
最後に、図３（ｆ）に示すように、生成した美容液を両方の掌で延ばして、美容液が延びた状態で付着した両方の掌を顔面の肌に擦り付けて、顔面の肌に美容液を塗布する。
【００４１】
これによれば、ユーザはできたての美容液を肌に塗布し得るため、十分な肌の保湿・バリア効果を発揮することができる。また、美容液に防腐剤やｐＨ調整剤等の添加物を加える必要がないため、より肌に優しいケアを行うことができる。さらに、コラーゲン体１を化粧水２にそのまま溶解するため、高濃度のコラーゲンを含む美容液を生成することができる。
【００４２】
而して、ユーザは、今まで体験したことのない贅沢な潤いに満ちたハリのある肌を得ることができる。また、濃密なコラーゲンが、ユーザの肌を見違えるように変えていくことができる。また、日頃蓄積した肌の疲れを取り戻すために、休日に自身で美容液を生成しながら、ゆっくりとして肌ケアを行うことができる。さらにフェイシャルエステ、パーシャルエステ、全身エステなど、新しいエステ用美容液としても使用することができる。
【００４３】
次に、本美容セットの効果について説明する。なお、この説明において、本美容セットのコラーゲンを「綿球コラーゲン」といい、従来のコラーゲン含有美容液のコラーゲンを「低分子コラーゲン」という。
【００４４】
まず、本美容セットの保湿効果について説明する。
【００４５】
出願人は、０．３％に溶解した試料（低分子コラーゲン、ゼラチン、あるいは綿球コラーゲンのいずれか）を前腕内側部に７日間連続塗布し、試験前後の角層の水分量比（試験後の角層の水分量／試験前の角層の水分量）を計測する実験を行った。
【００４６】
この実験によれば、試料が低分子コラーゲンである場合の水分量比が約１．０５、試料がゼラチンである場合の水分量比が約１．１であるのに対して、試料が綿球コラーゲンである場合の水分量比は約１．２であった。これによれば、綿球コラーゲンは、低分子コラーゲンやゼラチンに比べて、優れた保湿効果を発揮することが示される。
【００４７】
また、出願人は、丸餅の表面に試料（水、あるいは綿球コラーゲンのいずれか）を塗布し、２時間後の状態を観察する実験を行った。
【００４８】
この実験によれば、試料が水である場合は、２時間後に丸餅の表面が乾燥してひび割れを生じたのに対して、試料が綿球コラーゲンである場合は、２時間後でも丸餅の表面がしっとりした艶やかな状態を保っていた。これによれば、綿球コラーゲンは、水を塗布する場合に比べて、優れた保湿効果を発揮することが示される。
【００４９】
次に、本美容セットのバリア効果について説明する。
【００５０】
出願人は、試料（低分子コラーゲン、あるいは綿球コラーゲンのいずれか）を肌に１４日間連続して使用した場合の水分蒸散率を計測する実験を行った。
【００５１】
この実験によれば、試料が低分子コラーゲンである場合の蒸散率を１００％としたときに、試料が綿球コラーゲンである場合の蒸散率は５８％となった。これによれば、綿球コラーゲンは、低分子コラーゲンに比べて、優れたバリア効果を発揮することが示される。
【００５２】
次に、本美容セットの肌荒れ改善効果について説明する。
【００５３】
出願人は、綿球コラーゲンを肌に１４日間連続して使用した場合の使用前・使用後の肌を比較する実験を行った。
【００５４】
この実験によれば、使用前の肌は、キメが粗く乱れていたのに対して使用後の肌はキメが細かく整っていた。これによれば、綿球コラーゲンは、優れた肌荒れ改善を発揮することが示される。
【００５５】
次に、本美容セットのシワ改善効果について説明する。
【００５６】
出願人は、綿球コラーゲンを目尻に３０日間連続して使用した場合の使用前・１４日目・３０日目の目尻を比較する実験を行った。
【００５７】
この実験によれば、使用前の目尻は、小シワが多数見られていたが、１４日目の目尻では小シワが少数になり、３０日目の目尻では小シワがほぼ消失した。これによれば、綿球コラーゲンは、優れたシワ改善を発揮することが示される。
【００５８】
なお、本実施形態において、前記コラーゲン体１は、小球状に形成されているものとしたが、これに限られず、その他の形状に形成されてもよい。
【００５９】
また、前記コラーゲン体１は、魚由来あるいはブタ由来のコラーゲンからなるものとしたが、これに限られず、その他由来のコラーゲンからなってもよい。
【００６０】
また、前記コラーゲン体１と容器３とは、包装容器４に同時に収容されるものとしたが、これに限られず、それぞれが個別の包装容器に収容されてもよい。
【００６１】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６２】
１…コラーゲン体
２…化粧水
３…容器
３１…口部
３２…容器本体
３３…蓋
４…包装容器
４１…コラーゲン体用凹部
４２…容器用凹部
【図１】
2019208945.tif 000003
【図２】
2019208945.tif 000004
【図３】
2019208945.tif 000005